(57)【特許請求の範囲】
【請求項１】
片面にブラシ歯が分散立設された第１のブラシ台座と、該第１のブラシ台座と脱着可能な第２のブラシ台座の一方向に延設され、使用時に把持される握り柄と、を有し、前記第１のブラシ台座の前記片面に毛髪処理組成物を付着させ、所望の毛髪に対してブラッシング操作を行なうことにより該毛髪に前記毛髪処理組成物を塗布するための毛髪処理組成物塗布用ブラシにおいて、
前記第２のブラシ台座の前記握り柄と反対方向の端部に、第１のブラシ台座に収容可能な刷毛部を設けた、
ことを特徴とする毛髪処理組成物塗布用ブラシ。
【請求項２】
上記刷毛の毛の長さが、端から端へ徐々に短くなり、略楔形であることを特徴とする、請求項１の毛髪処理組成物塗布用ブラシ。
【発明の詳細な説明】
【０００１】
【発明の属する技術分野】
本発明は、半固形状の毛髪処理組成物を毛髪に塗布するのに使用される毛髪処理組成物塗布用ブラシに関する。
【０００２】
【従来の技術】
従来、毛髪処理組成物を毛髪などに塗布する場合には、直接手で塗布したり、手袋をはめたり、あるいはブラシ、コーム等の塗布具を用いたりして行なうのが一般的である。ここで、毛髪処理組成物とは、例えば、染毛剤、パーマ剤、マニキュア、トリートメント等のことを指す。これらは通常、クリーム状、ジェル状、若しくは泡状にされている。以下、毛髪処理組成物のことを単に薬剤とも言う。
【０００３】
しかしながら、上記技術によれば、以下のような問題が挙げられる。 例えば、素手で毛髪に薬剤を塗布する場合には、薬剤が直接手について、手が汚れたり、手荒れが起こったりする。これは、手袋を使用すれば防げるが、これでは素手の場合に比べ、塗布時の感覚が得難く、毛髪に均等に塗布するのが困難である。更に、薬剤が垂れ落ちて、手以外の箇所を薬剤で汚すことがあり、また手袋をはめる煩わしさもある。
【０００４】
一方、ブラシやコーム等の塗布具を用いると、手荒れの心配がなく、また手袋よりも感覚が得易く、楽に塗布ができる。例としてブラシを使って染毛剤を塗布する場合を挙げる。まず、ブラシ歯が形成されている部分に染毛剤を載せる。そしてこのブラシにて塗布対象となる毛髪に、通常のブラッシング操作を行なう。この簡単な操作を行なうと、染毛剤の一部が毛髪に付着し、そしてブラシで毛髪をすくことにより、毛髪に付着した染毛剤が伸ばされ、塗布が行なわれていく。コームを使う場合や、染毛剤以外の薬剤を塗布するときもほぼ同様である。
【０００５】
ところが、これらの塗布具を用いて薬剤を毛髪に塗布する場合にも、生え際や揉み上げ部分への薬剤の塗布が十分に行われ難く、その作業性が悪いといったような課題がある。なぜならば、生え際や揉み上げ部分の白髪は、特に目に付き易いからである。
【０００６】
そこで、この問題点を解決するために、図７、図８（実開平１−１２８６２０号公報）及び図９（実開平６−１５５３０号公報）に示す如きの毛染用ブラシが提案されている。
【０００７】
図７は毛染用ブラシの斜視図、図８は毛染用ブラシの底面図である。この毛染用ブラシは、ブラシ歯の立設密度に濃い部分と薄い部分とを構成し、すなわち長手方向における先端部に密な部分を構成し、手前側はこれまでと同じように構成し、毛染剤の生え際や揉み上げ部分への塗布はブラシ歯が密に立設された先端部によって行えるようにしたので、生え際や揉み上げ等のように毛髪の末端や短い部分への塗布も比較的行い易いものとなった。
【０００８】
また図９は毛染用ブラシの側面図である。この毛染用ブラシは、ブラシ歯が立設されている第１のブラシ体と密毛体から構成される第２のブラシ体からなり、両ブラシ体のベース面が、略へ字形状となるように構成し、かつ、各々の部分にブラシを構成させてなるから、毛髪の生え際や揉み上げ等への毛染剤の塗布に際しては第２のブラシを利用すれば比較的効率良く、かつ、ミスを少なく行い易いものとなった。
【０００９】
【発明が解決しようとする課題】
しかしながら、上記の毛染用ブラシでは、先端部や第２ブラシ体を生え際や揉み上げ部に当接させた時に、後部側のブラシ歯が頬や耳に接触することがあり、頬や耳が汚されるといった不都合があった。
【００１０】
従って、本発明の目的は、染毛剤が不要な部分、例えば頬や耳に付着し難く、かつ、毛髪の生え際や揉み上げ等への毛染剤の塗布が容易な毛髪処理剤組成物塗布用ブラシを提供することである。
【００１１】
【課題を解決するための手段】
かかる目的を達成するためになされた本発明の毛髪処理組成物塗布用ブラシは、片面にブラシ歯が分散立設された第１のブラシ台座と、該第１のブラシ台座と脱着可能な第２のブラシ台座の一方向に延設され、使用時に把持される握り柄と、を有し、前記第１のブラシ台座の前記片面に毛髪処理組成物を付着させ、所望の毛髪に対してブラッシング操作を行なうことにより該毛髪に前記毛髪処理組成物を塗布するための毛髪処理組成物塗布用ブラシにおいて、前記第２のブラシ台座の前記握り柄と反対方向の端部に、第１のブラシ台座に収容可能な刷毛部を設けた、ことを特徴とする毛髪処理組成物塗布用ブラシよって達成される。
【００１２】
【発明の実施の形態】
以上に説明した本発明の構成および作用を一層明らかにするために、本発明の毛髪処理組成物塗布用ブラシの好適な実施例について説明する。但し、本発明は以下の実施例に何等限定されるものではなく、本発明の要旨を逸脱しない範囲において、様々な態様で実施できることはいうまでもない。
【００１３】
【実施例】
実施例の毛髪処理組成物塗布用ブラシ１について、図１〜図２に基づいて説明する。図１及び２は第１実施例の斜視図及び側面図である。
【００１４】
毛髪処理組成物塗布用ブラシ１は、参考例であり、ブラシ台座３、ブラシ柄５、ブラシ台座３とブラシ柄５を連結する連結部７から構成され、合成樹脂などから形成される。ブラシ柄５は板状であり、その下面には、くぼみ６ａ，６ｂ，６ｃ，６ｄが形成された略波状の指当面６が設けられている。この指当面６の形状により、使用時に指が滑らないようになされている。
【００１５】
連結部７は、ブラシ台座３の端部中央から、ブラシ台座上面３ａに対して斜め方向に立設され、ブラシ柄５とブラシ台座３とを連結している。
【００１６】
ブラシ台座下面３ｂには、複数のブラシ歯４が長辺とほぼ平行に配列するように設けられている。また、ブラシ台座３の連結部７と反対方向の先端部３ｃには、脱着可能な刷毛部２を設けてある。
【００１７】
以上の構成からなる本実施例の毛髪処理剤組成物塗布用ブラシ１の使用方法を次に述べる。最初に、ブラシ台下面３ｂに立設したブラシ歯４を用い、毛髪全体に毛染めを行う。このときの毛染め方法としては、ペースト状の染毛剤を直接ブラシ台座下面に注出し、この状態で毛髪を梳くことにより行う方法や、染毛剤（ペースト状、液状、粉末状を水に溶かしたもの等）を受け皿に注出し、その後ブラシ歯４にその染毛剤を付着させ、この状態で毛髪を梳くことにより行う方法などが挙げられる。しかし、このような方法により毛髪全体の毛染めを行っても、もみ上げ等の毛髪の長さが短い部分や額等の毛髪の生え際には、染毛剤を充分塗布することができない。更に、毛髪に塗布された染毛剤の量が、部分的に多かったり少なかったりしてむらが生じる場合もある。
【００１８】
そこで次に刷毛２ａを用い、上記の方法で充分毛染めを行うことができなかった部分の毛染めや、むら染めになった部分の修正を行う。まず、刷毛２ａに染毛剤を付着させる。毛髪の長さが短い部分や毛髪の生え際の毛染めは、刷毛２ａの先端で行う。毛髪処理剤組成物塗布用ブラシ１は刷毛として使用しようとすると、全体がやや大きくなりすぎ、またこのとき、刷毛２ａはブラシ台座３の延長線方向を向いているため、刷毛２ａを使用するためには、肘を肩の高さまで上げることになり、腕が疲れやすくなることがある。
【００１９】
しかし、刷毛部２は、支持体８の間に挟み込むことにより、ブラシ台座３上に固定されているだけであるので、容易に取り外すことができ、即ち脱着可能であるため、本体よりはずして刷毛単独で使用すれば、楽に生え際などの修正ができ、しかも染毛剤で汚れているブラシ歯のために皮膚を汚すことを完全に防止できる。
【００２０】
以上詳述した本実施例の毛髪処理組成物塗布用ブラシ１の効果について、以下に述べる。
【００２１】
（１）本実施例の毛髪処理組成物塗布用ブラシ１によれば、ブラシ歯４と刷毛部２とが独立し、しかもブラシ歯４に対し垂直方向を向き、さらに脱着可能であるため、生え際やもみあげ部分を刷毛２ａで塗布する際、ブラシ歯４によって額、耳および頬などの皮膚を染毛剤で汚してしまうことを防止できる。
（２）刷毛部２を単独で使用できるため、細かい作業が容易かつ楽にできるようになる。
【００２２】
次に、第２実施例の毛髪処理組成物塗布用ブラシ１１について、図３〜５に基づいて説明する。図３〜５は、各々毛髪処理組成物塗布用ブラシ１１の刷毛使用時の側面図、分解図及び刷毛収納時の斜視図を表す。毛髪処理組成物塗布用ブラシ１１は、請求項１記載の毛髪処理組成物塗布用ブラシの一実施例であり、第１ブラシ台座１３ａ、ブラシ歯１４から構成されるブラシ部１１ｂと、第２ブラシ台座１３ｂ、ブラシ柄１５および第２ブラシ台座１３ｂとブラシ柄１５を連結する連結部１７から構成される刷毛部１１ａからなる。また、第２ブラシ台座１３ｂの連結体１７とは反対方向の端部１３ｃには刷毛１２が植えられている。この第２ブラシ台座１３ｂは下部がやや広がった台形状になっており、中程に略楔形状をした一対の凸部１８が、一方第１ブラシ台座１３ａには第２ブラシ台座１３ｂが収まるような台形状の溝２０と略楔形状をした二対の凹部１９ａおよび１９ｂが設けてある。お互いが台形状になっているため、第２ブラシ台座１３ｂを溝２０にスライド挿入させることにより、ブラシ部１１ｂと刷毛部１１ａを合体させることができ、凹凸部で固定される。
【００２３】
本実施例の毛髪処理組成物塗布用ブラシ１１の使用方法について説明する。最初に、第２ブラシ台座１３ｂの凸部１８を第１ブラシ台座１３ａの凹部１９ａに固定し、刷毛１２が毛髪処理組成物塗布用ブラシ１１中に収納された状態で、ブラシ歯１４に染毛剤を付着させ、毛髪を梳くことにより毛染めを行う。その後、刷毛１２を用いて、ブラシ歯１４では充分毛染めを行うことができなかった部分の毛染めや、むら染めになった部分の修正を行うが、このときは、第２ブラシ台座１３ｂの凸部１８を第１ブラシ台座１３ａの凹部１９ｂに固定して刷毛１２を突出させた状態で行うのである。また、刷毛１２は刷毛部１１ａとしてブラシ部１１ｂから完全に分離することができるため、染毛用刷毛として、単独で使用が可能となる。
【００２４】
以上詳述した本願実施例の毛染め用ブラシ１１は、第１実施例の毛染め用ブラシ１の効果に加え、以下の効果を有する。即ち、刷毛１２が第２ブラシ台座１３ｂ、連結部１７、ブラシ柄１５と一体となり、刷毛部１１ａを構成しているため、第１ブラシ台座１３ａとブラシ歯１４からなるブラシ部１１ｂから分離することができ、取り外すと第１実施例よりも大きく使いやすい単独の刷毛部を得ることができ、例えば部分染めのように、生え際だけを染めたいような時に非常に便利である。
【００２５】
次に、第３実施例の毛髪処理組成物塗布用ブラシ２１について、図５に基づいて説明する。図５は、毛髪処理組成物塗布用ブラシ２１の平面図を表す。毛髪処理組成物塗布用ブラシ２１は、請求項２記載の毛髪処理組成物塗布用ブラシの一実施例であり、刷毛部２２以外は実施例１と同一の構成である。この刷毛部２２は脱着可能であるが、この刷毛部２２先端の刷毛２３は、植毛列の始点２３ａから終点２３ｂへ行くほど毛の長さが短くなる略楔形になっている。
【００２６】
本願実施例３の毛染め用ブラシ２１は、第１実施例の毛染め用ブラシの効果に加え、以下の効果を有する。即ち、刷毛２３を用いて、ブラシ歯を用いた時には充分毛染めを行うことができなかった部分やむら染めになった部分の修正を行う際、刷毛部３２を取り外すことができるので、ブラシ歯に付着した染毛剤によって額、耳および頬などの皮膚を汚してしまうことを防止できるうえ、刷毛２３が略楔形をしているため、生え際やもみあげ部分への塗布がより細かく作業できるようになる。
【００２７】
なお、第２実施例の刷毛１２も同様に略楔形にすることができ、同様の効果を得ることができる。
【００２８】
【発明の効果】
以上詳述したように本発明の毛髪処理剤組成物塗布用ブラシによれば、ブラシ歯と刷毛とがそれぞれ独立して存在し、塗り残した生え際やもみあげ部分を刷毛で塗布する際、ブラシ歯によって額、耳および頬などの皮膚を染毛剤で汚してしまうことを防止できる。しかも刷毛がブラシ本体に対し脱着可能であるため、部分染めだけをしたいとき等、刷毛として単独で使用することができる。
【００２９】
【図面の簡単な説明】
【図１】  第１実施例の分解図である。
【図２】  第１実施例の側面図である。
【図３】  第２実施例の刷毛使用時の側面図である。
【図４】  第２実施例の分解図である。
【図５】  第２実施例の刷毛収納時の斜視図である。
【図６】  第３実施例の平面図である。
【図７】  従来の染毛用ブラシの斜視図である。
【図８】  従来の染毛用ブラシの底面図である。
【図９】  従来の染毛用ブラシの側面図である。
【符号の説明】
１，１１，２１・・・毛髪組成物塗布用ブラシ、
２，１１ａ，２２・・・刷毛部、
１１ｂ・・・ブラシ部
２ａ，１２，２３・・・刷毛
３・・・ブラシ台座、
３ａ・・・ブラシ台座上面、
３ｂ・・・ブラシ台座下面、
３ｃ・・・ブラシ台座先端部
１３ａ・・・第１ブラシ台座、
１３ｂ・・・第２ブラシ台座、
１３ｃ・・・第２ブラシ台座端部、
４，１４・・・ブラシ歯、
５，１５・・・ブラシ柄、
６・・・指当面、
７，１７・・・連結部、
８・・・支持体、
１８・・・凸部、
１９ａ，１９ｂ・・・凹部、
２０・・・溝、
２３ａ・・・植毛列始点、
２３ｂ・・・植毛列終点
【図１】
0003960663.tif 000002
【図２】
0003960663.tif 000003
【図３】
0003960663.tif 000004
【図４】
0003960663.tif 000005
【図５】
0003960663.tif 000006
【図６】
0003960663.tif 000007
【図７】
0003960663.tif 000008
【図８】
0003960663.tif 000009
【図９】
0003960663.tif 000010